(57)【要約】【課題】  座幅調整に工具を必要とするため担当作業員を配置する必要があり、座幅調整機構が椅子フレームに直接組み付けられて露呈突出しているため、座幅調整や整備時に邪魔になり、手をぶつけたり、折り畳み時に手指を挟んだりすることである。【解決手段】  車輪４０が取り付けられる左右一対の椅子フレーム２を連繋するＸ字状挟動体３に、前記椅子フレーム連繋用の左右一対の上部水平杆１２と下部水平杆１３とを設けるとともに、該両水平杆のいずれか一方を椅子フレーム２の横桁２ｂに係脱自在とし、他方を手動操作用のロック機構１５により椅子フレーム２の支柱２ａに高さ調節自在に枢着させ、また上部水平杆１２に枢着されるガイド部材１４を前記支柱２ａに収納したものである。【選択図】          図１
2005160718.tif 000002
【特許請求の範囲】
【請求項１】
車輪が取り付けられる左右一対の椅子フレームを連繋するＸ字状挟動体に、前記椅子フレーム連繋用の左右一対の上部水平杆と下部水平杆とを設けるとともに、該両水平杆のいずれか一方を椅子フレームの横桁に係脱自在とし、他方を手動操作用のロック機構により椅子フレームの支柱に高さ調節自在に枢着させたことを特徴とする座幅調整可能な車椅子。
【請求項２】
上部水平杆に椅子フレームの支柱に収納される姿勢保持用のガイド部材を枢着したことを特徴とする請求項１に記載の座幅調整可能な車椅子。
【請求項３】
ロック機構が下部水平杆に組み込まれることを特徴とする請求項１または２に記載の座幅調整可能な車椅子。
【請求項４】
ロック機構が並設される各支柱の内側に透設された複数の位置調整用の係止孔と、下部水平杆内に設けられて前記各係止孔に係脱する二本のスライドピンと、該各スライドピンを係止方向に付勢するばねと、各スライドピンに片手で操作できる範囲内に近接させて取り付けた一対の操作ノブとからなることを特徴とする請求項１から３のいずれかに記載の座幅調整可能な車椅子。
【発明の詳細な説明】
【技術分野】
【０００１】
本発明は座幅を利用者の体格に応じて変更して姿勢を安定させて乗車することができる座幅調整可能な車椅子に関するものである。
【背景技術】
【０００２】
従来、座幅調整可能な車椅子は種々知られているところであり、左右の椅子フレームを枢着するＸ字状リンクの長さを変更することにより座幅を調整するものがある（例えば、特許文献１、２）。また左右の椅子フレームに連繋されるＸ字状リンクの取付位置を調整して座幅を調整するものがある（例えば、特許文献３）。さらに左右の椅子フレームを枢着するＸ字状リンクの一方の揺動杆をスライド自在に支持して座幅を調整するものがある（例えば、特許文献４）。
しかしこれらのものは座幅調整作業に工具を用いなければできないため、駅や美術館等の公共施設に担当作業員を配置させなければならなかった。しかも座幅調整作業が煩雑で手間取るため、車椅子を必要とする客等に車椅子を貸し出す際、利用者の体格に合わせた座幅調整作業に時間がかかり、待ち時間が長くなるという問題があった。さらに座幅調整機構が椅子フレームに直接組みつけられるため、露呈突出される座幅調整機構が邪魔になり、整備作業時や座幅調整作業がし辛いうえに手指をぶつけたり、挟んだりするという問題があった。
【特許文献１】特開２００２−２５３６１７号公報
【特許文献２】特開２００２−８５４６７号公報
【特許文献３】特開２００３−１２６１６８号公報
【特許文献４】特開２００３−１２６１７２号公報
【発明の開示】
【発明が解決しようとする課題】
【０００３】
解決しようとする問題点は、座幅調整に工具を必要とするため担当作業員を配置させねばならないうえに、座幅調整機構が椅子フレームに直接組み付けられて露呈突出しているため、座幅調整や整備時に邪魔になり、手をぶつけたり、折り畳み時に手指を挟んだりすることである。
【課題を解決するための手段】
【０００４】
本発明は、車輪が取り付けられる左右一対の椅子フレームを連繋するＸ字状挟動体に、前記椅子フレーム連繋用の左右一対の上部水平杆と下部水平杆とを設けるとともに、該両水平杆のいずれか一方を椅子フレームの横桁に係脱自在とし、他方を手動操作用のロック機構により椅子フレームの支柱に高さ調節自在に枢着させた座幅調整可能な車椅子を請求項１の発明とし、請求項１の発明において、上部水平杆に椅子フレームの支柱に収納される姿勢保持用のガイド部材を枢着した座幅調整可能な車椅子を請求項２の発明とし、請求項１または２の発明において、ロック機構が下部水平杆に組み込まれる座幅調整可能な車椅子を請求項３の発明とし、請求項１から３の発明において、ロック機構が並設される各支柱の内側に透設された複数の位置調整用の係止孔と、下部水平杆内に設けられて前記各係止孔に係脱する二本のスライドピンと、該各スライドピンを係止方向に付勢するばねと、各スライドピンに片手で操作できる範囲内に近接させて取り付けた一対の操作ノブとからなる座幅調整可能な車椅子を請求項４の発明とするものである。
【発明の効果】
【０００５】
本発明は、Ｘ字状挟動体に椅子フレーム連繋用の左右一対の上部水平杆と下部水平杆とを設け、両水平杆のいずれか一方を椅子フレームの横桁に係脱自在とし、他方を手動操作用のロック機構により椅子フレームの支柱に高さ調節自在に枢着させたものとしたから、工具を必要とすることなく極めて簡単に誰でもが短時間で座幅を調整することができるので、車椅子を貸し受ける際に待たされることもない。また利用者自身が座幅を調整することもできるので作業員を常時配置させておく必要がなくなるので管理運営費を大幅に低減できることとなる。しかも座幅の調整機構が椅子フレームから大きく突出されて取り付けられていないので、整備時や取り扱い時に邪魔にならず、円滑に整備作業ができるうえに折り畳み時に手を挟んだり、ぶつけたりすることがない。さらにデザイン的にも優れたものとすることができる。
【０００６】
請求項２のように、上部水平杆に椅子フレームの支柱に収納される姿勢保持用のガイド部材を枢着したものとしたから、折り畳み時、椅子フレームとの係止が解かれてもＸ字状挟動体は不安定となることがないので、円滑に折り畳み操作をすることができるうえに、支柱内に収納されるものとしているから、整備や取り扱い操作時に手を挟んだり、ぶつけたりすることがない。
【０００７】
請求項３のように、座幅の調整機構のロック機構が下部水平杆に組み込まれたものとしたから、ロック機構は外部に露呈せず整備時に全く邪魔にならず、円滑に整備作業ができることとなる。さらにデザイン的な制約を受けることがないものとなる。
【０００８】
請求項４のように、ロック機構が並設される各支柱の内側に透設された複数の位置調整用の係止孔と、下部水平杆内に設けられて前記各係止孔に係脱する二本のスライドピンと、該各スライドピンを係止方向に付勢するばねと、各スライドピンに片手で操作できる範囲内に近接させて取り付けた一対の操作ノブとからなるものとしたから、片手で操作できることとなり、左右のロック機構を同時に解除できることとなる。しかも操作は極めて簡単でワンタッチで行なうことができ、女性や老人でも容易に操作できるものである。
【発明を実施するための最良の形態】
【０００９】
次に、本発明の最良の実施形態を図に基づいて詳細に説明する。
図１中、１は椅子本体であり、該椅子本体１は左右一対の椅子フレーム２と、該椅子フレーム２を折り畳み自在に連繋するＸ字状挟動体３と、椅子フレーム２の後部に軸支される車輪４０と、椅子フレーム２の前部に回動自在に取り付けられるキャスタ４１とよりなるものである。また椅子本体１は折り畳み機構６により椅子フレーム２を重ね合わせ状態に折り畳めるようになっており、座幅調整機構７により椅子フレーム２の間隔（座幅）が調整できるようになっている。
【００１０】
前記折り畳み機構６は左右一対の椅子フレーム２と該椅子フレーム２を連繋するＸ字状挟動体３とからなるものであり、座幅調整機構７は折り畳み機構６の椅子フレーム２に連繋されるＸ字状挟動体３の一方の連繋位置を位置調整自在とすることにより座幅を調整するものとしている。
【００１１】
前記椅子フレーム２は複数の支柱２ａと、該複数の支柱２ａを繋ぐ上下の横桁２ｂとからなるもので、後部の支柱２ａは背凭れを兼ねるため上部の横桁２ｂより上方に延設されたものとしている。また前部の支柱２ａはステップ３９を取り付けるため下部の横桁２ｂよりも下方に延設されるものとしている。また後部の支柱２ａには車輪４０を高さ調整自在に取り付ける角ラック４５が設けられている。後部の支柱２ａと、該支柱２ａと隣り合わせて並設される中間の支柱２ａには後記する下部水平杆１３を係止する係止孔１６が複数透設されている。また前部から２番目の支柱２ａにはキャスタ４１を取り付けるための取付パイプ４６が設けられている。
【００１２】
前記Ｘ字状挟動体３は、荷重を担うパイプよりなる前部Ｘリンク１０と挟動動作を円滑にする板材よりなる後部Ｘリンク１１と、該前部Ｘリンク１０と後部Ｘリンク１１の各上端に取り付けられる椅子フレーム連繋用の上部水平杆１２と、前部Ｘリンク１０と後部Ｘリンク１１の各下端に取り付けられる椅子フレーム連繋用の下部水平杆１３と、上部水平杆１２に枢着される姿勢保持用のガイド部材１４とからなるものである。
【００１３】
そして前記上部水平杆１２は左右の椅子フレーム２の横桁２ｂに取り付けられた断面Ｕ字状をした受ホルダー２ｃに上から落し込んで係止するもので、折り畳み時には自動的に離脱する係脱自在なものとしている。下部水平杆１３は椅子フレーム２に並設される後部および中間の支柱２ａ、２ａ間に後記ロック機構１５により高さ調整自在に枢着係止されるものであり、下部水平杆１３の椅子フレーム２への係止枢着位置を調整することにより座幅が調整できるものとしている。下部水平杆１３の長さは後部と中間の支柱２ａ、２ａの間隔と略等しいものとしている。
【００１４】
また前記ガイド部材１４は椅子フレーム２の中間の支柱２ａ内に嵌挿収納されるもので、支柱２ａと略等長としたスライド杆１４ａと該スライド杆１４ａを遊挿させるガイド杆１４ｂとからなるものであり、該ガイド杆１４ｂは中間の支柱２ａ内に嵌挿係止されてスライド杆１４ａをスライド自在にガイドするようになっている。このように前記ガイド部材１４は中間の支柱２ａ内に収納されるので整備や取り扱い操作時に邪魔になることがないうえに、手を挟んだりぶつけたりすることがないものとなる。
【００１５】
１５は座幅調整機構７の手動操作用のロック機構であり、該ロック機構１５は左右の下部水平杆１３に組み込まれるもので、椅子フレーム２の支柱２ａ、２ａの内側に透設された高さ調整用の複数の係止孔１６と、該係止孔１６に係脱できるよう下部水平杆１３内にスライド自在に嵌挿される二本のスライドピン１７、１７と、該各スライドピン１７、１７が係止孔１６に係止される方向に付勢する二つのばね１８、１８と、前記スライドピン１７、１７の基部に双方を片手で操作できる範囲内に近接させて取り付けた一対の操作ノブ１９、１９と、先端にＵ字状ガイド部を設けたスライダ２０、２０とからなるものである。
【００１６】
前記スライドピン１７、１７はスライダ２０、２０に嵌挿ガイドされたうえ下部水平杆１３内に嵌挿されるものである。１３ａ、１３ａは下部水平杆１３に透設された二つの長孔であり、二つの長孔１３ａ、１３ａはスライドピン１７、１７に取り付けられた操作ノブ１９、１９を下部水平杆１３よりスライド自在に外部に張出させるためのものである。前記操作ノブ１９、１９は相互に約５ｃｍの間隔をもって配置すれば操作できるが、間隔を３ｃｍ程とすれば非力な人でもより容易に操作することができる。また前記スライダ２０、２０のＵ字状ガイド部は支柱２ａ、２ａの直径と略等しい円弧を有するものとして下部水平杆１３を後部と中間の支柱２ａ、２ａ間で円滑にスライドできるようにしている。
【００１７】
２２は椅子フレーム２に取り付けられるアームフレームであり、該アームフレーム２２は略角枠状をしたのもので、両側の縦杆２２ａ、２２ａを筒状として後記するアームパイプ３０が上方から差込み可能となっている。アームフレーム２２の後方の縦杆２２ａ下端にはボス部２３が形成されていて、椅子フレーム２のボス部２４とボルトにより連繋されるものとなっている。これによりアームフレーム２２は椅子フレーム２に対して揺動開閉できるものとしている。また前方の縦杆２２ａには椅子フレーム２にアームフレーム２２をロックするフレームロック機構２５が設けられている。
【００１８】
前記フレームロック機構２５はアームフレーム２２に取り付けられるレバー部材２６と、椅子フレーム２の縦杆２ａに取り付けられる水平なレバー掛止めピン２７とからなるもので、該レバー部材２６のレバー２８は自重でレバー掛止めピン２７に係合されるようになっていおり、レバー２８のハンドルを手動で引き上げることによりレバー掛止めピン２７からレバー２８を離脱させるものである。
【００１９】
３０はアームフレーム２２に高さ調整自在に取り付けられるアームパイプであり、該アームパイプ３０には複数の位置調節用のボルト孔３１が透設されている。またアームフレーム２２には一つのボルト孔３２が透設されている。３３はアームフレーム２２とアームパイプ３０を高さ調節自在に固定するボルトとナットよりなる止め部材である。これによりアームパイプ３０は利用者の体格に応じて肘掛高さを調整できることとなる。また３４はアームフレーム２２に取り付けられるスカードガードであり、該スカートガード３４により乗車している利用者のスカートが車輪４０に巻きつくことを防止している。
【００２０】
３５は車輪４０を取り付ける車軸３６に嵌挿される間隔調整用にワッシャーである。図１２、１３に示されるように、車軸３６にワッシャー３５を介在させることにより車輪４０の取付位置を調整して、車輪４０とスカードガード３４との間隔を調整できるものとしている。３７は車輪４０にストッパ３８を圧接させて車椅子が坂道などで自走しないようにするブレーキ機構である。
【００２１】
このように構成されたものは、例えば、公共施設等において、車椅子をレンタルとして貸し出す際には車椅子の座幅を利用者の体格に合わせる調整を行なう。この調整は簡単なため利用者自身が行ってもサポート役の人が行なっても、施設の事務員等が行なってもよい。座幅調整操作はＸ字状挟動体３が閉じられて左右の椅子フレーム２が重ね合わせられている折り畳み状態において行うものとするが、左右の椅子フレーム２が開いている使用状態で行ってもよいものとする。先ず、下部水平杆１３のロック機構１５を手動操作してロックを解除する。この解除操作は、左右の椅子フレーム２毎に別々に行なってもよいが、両手を使って左右同時に行なってもよい。左右同時に行なう場合は、椅子フレーム２を折り畳んだ状態として行なうと操作が容易になる。この場合は車椅子本体１を抱きかかえるようにして両手で左右のロック機構１５の前後一対の操作ノブ１９、１９を把持する。
【００２２】
それぞれ片方の手で前後の操作ノブ１９、１９を把持することにより、前後の操作ノブ１９、１９は自動的に両者の間隔が縮められる方向にスライドされることとなる。このスライドにより前後の操作ノブ１９、１９に取り付けられている前後のスライドピン１７、１７はばねの１８、１８の付勢力に抗して間隔を狭められる方向にスライドされることとなる。これにより後部と中間の支柱２ａの係止孔１６に嵌合係止されていたスライドピン１７、１７は係止孔１６、１６から抜き出されることとなる。
【００２３】
このようにして左右のスライドピン１７、１７が左右の係止孔１６、１６から抜き出された状態で、左右の下部水平杆１３の昇降動させれば、左右の椅子フレーム２を連携するＸ字状挟動体３の角度は簡単に変更されるので、所望の係止孔位置で操作ノブ１９、１９の把持を解けばスライドピン１７、１７はばね１８の付勢力により突出して係止孔１６、１６に枢着自在に係止されることとなって座幅は変更されて利用者の体格に応じたものとなる。
【００２４】
前述では左右の同時に下部水平杆１３の取付位置を調整したが、左右別々に下部水平杆１３の取付位置を変更しても良いものであり、作業時間もさほど変わることはないものである。
【００２５】
なお、前記最良の実施形態においては、下部水平杆１３にロック機構１５を設けたものとしているが、上部水平杆１２に組み込んでもよいことは勿論である。また前記最良の実施形態においては、Ｘ字状挟動体３の下部水平杆１３を椅子フレーム２の支柱２ａに高さ調整自在に枢着したものとしているが、椅子フレーム２の支柱２ａをアームフレーム２２まで延長し、延長された支柱２ａに係止孔１６を透設するととともに、上部水平杆１２にロック機構１５を組み込んで、上部水平杆１２を高さ調整自在に枢着するものとしても良いことは勿論である。
【図面の簡単な説明】
【００２６】
【図１】本発明の最良の実施形態を示す全体図である。
【図２】本発明の最良の実施形態における椅子フレームとＸ字状挟動体とを分解して示す側面図である。
【図３】本発明の最良の実施形態における椅子フレームとＸ字状挟動体とを分解して示す正面図である。
【図４】本発明の最良の実施形態における座幅調整機構を示す一部切欠側面図である。
【図５】本発明の最良の実施形態における第２の水平杆に組み込まれたロック機構を示す断面図である。
【図６】本発明の最良の実施形態における座幅調整機構を拡大して示す正面図である。
【図７】本発明の最良の実施形態におけるロック機構を拡大して示す平面図である。
【図８】本発明の最良の実施形態におけるアームフレームの取り付け状態を示す側面図である。
【図９】本発明の最良の実施形態におけるアームフレームとアームパイプとの取付状態を拡大して示す側面図である。
【図１０】本発明の最良の実施形態に用いられるフレームロック機構の側面図である。
【図１１】本発明の最良の実施形態に用いられるフレームロック機構の正面図である。
【図１２】本発明の最良の実施形態においてワッシャーにより車軸に取り付けられる車輪位置が調整された状態を示す正面図である。
【図１３】本発明の最良の実施形態においてワッシャーにより車軸に取り付けられる車輪位置が調整された状態を拡大して示す正面図である。
【符号の説明】
【００２７】
２  椅子フレーム
2a  支柱
2b  横桁
３  Ｘ字状挟動体
12  上部水平杆
13  下部水平杆
13a  長孔
14  ガイド部材
15  ロック機構
16  係止孔
17  スライドピン
18  ばね
19  操作ノブ
21  ガイド
22  アームフレーム
25  アームパイプ
40  車輪
【図１】
2005160718.tif 000003
【図２】
2005160718.tif 000004
【図３】
2005160718.tif 000005
【図４】
2005160718.tif 000006
【図５】
2005160718.tif 000007
【図６】
2005160718.tif 000008
【図７】
2005160718.tif 000009
【図８】
2005160718.tif 000010
【図９】
2005160718.tif 000011
【図１０】
2005160718.tif 000012
【図１１】
2005160718.tif 000013
【図１２】
2005160718.tif 000014
【図１３】
2005160718.tif 000015